(57)【特許請求の範囲】
【請求項１】
コンプレッサ、コンデンサ、膨張弁及びエバポレータを含んだ冷凍サイクルと、
前記エバポレータに熱的に接触する蓄冷剤と、
車両が目的地に到着する直前に前記蓄冷剤が凍結するように、車両の情報及び走行ルートの情報に基づいて前記コンプレッサの作動を制御する電子制御装置と、
を有し、
前記電子制御装置は、前記走行ルートを下り坂、平地、上り坂に区画した各区間について、目的地から出発地に向けて、下り坂、平地、上り坂の順番で優先度を付し、この優先度に従って前記コンプレッサを作動させる、
ことを特徴とする蓄冷式クーラ。
【請求項２】
前記電子制御装置は、前記蓄冷剤の温度に基づいて当該蓄冷剤が凍結するのに要する前記コンプレッサの目的作動量を求め、当該目標作動量と前記優先度順に順次選定した前記各区間における前記コンプレッサの作動量とに基づいて、前記コンプレッサを作動させる区間を決定する、
ことを特徴とする請求項１に記載の蓄冷式クーラ。
【請求項３】
前記各区間における前記コンプレッサの作動量は、車両走行によって学習される、
ことを特徴とする請求項２に記載の蓄冷式クーラ。
【請求項４】
前記目標作動量及び前記作動量は、前記コンプレッサの回転数又は冷媒吐出量である、
ことを特徴とする請求項２又は請求項３に記載の蓄冷式クーラ。
【請求項５】
前記電子制御装置は、複数の車両の情報の中から、エンジン回転数、車速及び燃料噴射量に応じた車両の情報を選定する、
ことを特徴とする請求項１〜請求項４のいずれか１つに記載の蓄冷式クーラ。
【請求項６】
前記車両の情報は、車速と前記コンプレッサの作動特性との相関関係である、
ことを特徴とする請求項１〜請求項５のいずれか１つに記載の蓄冷式クーラ。
【請求項７】
前記コンプレッサは、エンジンの出力によって回転駆動される、
ことを特徴とする請求項１〜請求項６のいずれか１つに記載の蓄冷式クーラ。
【発明の詳細な説明】
【技術分野】
【０００１】
本発明は、トラックなどの車両に搭載された蓄冷式クーラに関する。
【背景技術】
【０００２】
トラックによる貨物輸送は長距離化し、運転者の疲労などが問題となっている。このため、特開２０１１−１４８３２２号公報（特許文献１）に記載されるように、キャビンに仮眠用のベッドを設け、ここに蓄冷式クーラを設置する技術が実用化されている。
【先行技術文献】
【特許文献】
【０００３】
【特許文献１】特開２０１１−１４８３２２号公報
【発明の概要】
【発明が解決しようとする課題】
【０００４】
蓄冷式クーラは、冷凍サイクルによって凍結した蓄冷剤を使用して冷房を行う。この場合、コンプレッサ作動による燃料消費を抑制しつつ、蓄冷式クーラの使用可能時間を最大とするためには、これを使用する直前に蓄冷剤が凍結することが望ましい。しかし、冷凍サイクルを構成するコンプレッサの作動が車両走行状態に応じて変化するため、蓄冷式クーラの使用直前に蓄冷剤が凍結するようにコンプレッサの作動を制御することは困難であった。
【０００５】
そこで、本発明は、コンプレッサ作動による燃料消費を抑制しつつ、使用直前に蓄冷剤が凍結するようにした蓄冷式クーラを提供することを目的とする。
【課題を解決するための手段】
【０００６】
蓄冷式クーラは、コンプレッサ、コンデンサ、膨張弁及びエバポレータを含んだ冷凍サイクルと、エバポレータに熱的に接触する蓄冷剤と、電子制御装置と、を有する。そして、電子制御装置は、車両が目的地に到着する直前に蓄冷剤が凍結するように、車両の情報及び走行ルートの情報に基づいてコンプレッサの作動を制御する。具体的には、電子制御装置は、走行ルートを下り坂、平地、上り坂に区画した各区間について、目的地から出発地に向けて、下り坂、平地、上り坂の順番で優先度を付し、この優先度に従ってコンプレッサを作動させる。
【発明の効果】
【０００７】
本発明によれば、コンプレッサ作動による燃料消費を抑制しつつ、蓄冷式クーラの使用直前に蓄冷剤を凍結させることができる。
【図面の簡単な説明】
【０００８】
【図１】トラックのキャビンに設置された蓄冷式クーラの一例を示す斜視図である。
【図２】蓄冷式クーラの一例を示すシステム図である。
【図３】制御プログラムの一例を示すフローチャートである。
【図４】制御プログラムの一例を示すフローチャートである。
【図５】コンプレッサを作動させる区間を設定するサブルーチンの一例を示すフローチャートである。
【図６】コンプレッサを作動させる区間を設定する方法の説明図である。
【図７】車速とエンジン回転数との相関関係を設定したマップの説明図である。
【発明を実施するための形態】
【０００９】
以下、添付された図面を参照し、本発明を実施するための実施形態について詳述する。
図１は、トラックのキャビンに設置された蓄冷式クーラの一例を示す。
【００１０】
キャビン１００の後部、具体的には、図示しない運転席の後方には、運転者が仮眠するときに使用する仮眠用ベッド１２０が設置されている。キャビン１００の左側に位置する、仮眠用ベッド１２０の長手方向の側方には、冷房用の冷風をキャビン１００内に吹き出す、冷風タワー１４０が立設されている。冷風タワー１４０の上端部には、冷風の吹出口１４２と、冷風の吹出方向を変更するルーバ１４４と、が夫々取り付けられている。また、仮眠用ベッド１２０の内部には、蓄冷式クーラの蓄冷剤を内蔵した蓄冷ユニット２００が組み込まれている。
【００１１】
図２は、蓄冷式クーラのシステム構成の一例を示す。
蓄冷式クーラの冷凍サイクルは、冷媒が循環する冷媒通路２２０に、コンプレッサ（圧縮機）２４０、コンデンサ（凝縮器）２６０、膨張弁（エクスパンジョンバルブ）２８０及びエバポレータ（蒸発器）３００がこの順番で配設されて構成されている。コンプレッサ２４０は、低温・低圧のガス冷媒を圧縮して高温・高圧のガス冷媒に変化させる。コンデンサ２６０は、高温・高圧のガス冷媒から熱を放出させて、常温・高圧の液状冷媒に変化させる。膨張弁２８０は、常温・高圧の液状冷媒を膨張させて減圧し、低温・低圧の液状冷媒に変化させる。エバポレータ３００は、低温・低圧の液状冷媒が熱を吸収して冷凍機能を発揮し、低温・低圧のガス冷媒に変化させる。そして、冷凍サイクルのうち、膨張弁２８０及びエバポレータ３００が蓄冷ユニット２００に組み込まれている。なお、蓄冷ユニット２００には、冷凍サイクルの少なくともエバポレータ３００が組み込まれていればよい。
【００１２】
コンプレッサ２４０は、作動及び停止を遠隔操作可能にすべく、例えば、エンジン３２０からの回転駆動力を断接する電磁クラッチを内蔵している。即ち、エンジン３２０のクランクシャフトに固定されたプーリ３２０Ａの回転駆動力は、補機ベルト３４０を介して、コンプレッサ２４０のプーリ２４０Ａと、空調装置（エアコンディショナ）のコンプレッサ３６０のプーリ３６０Ａと、に夫々伝達される。そして、コンプレッサ２４０の電磁クラッチを制御することで、そのプーリ２４０Ａに伝達された回転駆動力を断接し、コンプレッサ２４０の作動及び停止を遠隔操作可能にする。なお、空調装置のコンプレッサ３６０も、冷凍サイクルのコンプレッサ２４０と同様に、エンジン３２０からの回転駆動力を断接する電磁クラッチを内蔵している。
【００１３】
また、蓄冷ユニット２００においては、冷凍サイクルのエバポレータ３００と熱的に接触した状態で、蓄冷剤３８０が内蔵されている。蓄冷剤３８０の表面には、その温度を測定する少なくとも１つの温度センサ４００が取り付けられている。温度センサ４００の出力信号、即ち、蓄冷剤温度は、マイクロコンピュータを内蔵した電子制御装置４２０へと入力されている。ここで、蓄冷剤３８０の表面に温度センサ４００が複数取り付けられている場合には、例えば、その平均温度とすることができる。
【００１４】
キャビン１００の運転席に対面した所定箇所には、蓄冷式クーラを操作するための操作ボックス４４０が取り付けられている。操作ボックス４４０には、少なくとも、ＬＥＤ（Liquid Crystal Display）などのディスプレイ４４０Ａ、蓄冷を開始するときに操作するスイッチ４４０Ｂが夫々取り付けられている。そして、操作ボックス４４０は、電子制御装置４２０と電気的に接続されている。なお、操作ボックス４４０には、例えば、蓄冷式クーラを強制的に作動させるためのスイッチなど、各種のスイッチを含むことができる。
【００１５】
キャビン１００の所定箇所には、車両位置を測位するＧＰＳ（Global Positioning System）を含んだナビゲーションシステム４６０が取り付けられている。ナビゲーションシステム４６０は、ディスプレイ及び入力装置として機能するタッチパネルを備え、走行ルートの設定などを行うことができる。ここでは、ナビゲーションシステム４６０は、走行ルートにおける各区間の距離、道路高低差（勾配）、一般道／高速道を特定可能な情報を出力する。そして、ナビゲーションシステム４６０は、例えば、ＣＡＮ（Controller Area Network）などの車載ネットワークを介して、電子制御装置４２０と通信可能に接続されている。
【００１６】
電子制御装置４２０は、例えば、フラッシュＲＯＭ（Read Only Memory）などの不揮発性メモリに格納された制御プログラムを実行することで、ナビゲーションシステム４６０及び温度センサ４００の各出力信号に基づいて、走行ルートにおいてコンプレッサ２４０を作動させる区間（作動区間）を決定する。そして、電子制御装置４２０は、ナビゲーションシステム４６０の測位機能を利用し、トラックが作動区間を走行しているか否かを判定し、その判定結果に応じてコンプレッサ２４０の電磁クラッチを制御する。以下、この制御プログラムの詳細について説明する。
【００１７】
図３及び図４は、操作ボックス４４０のスイッチ４４０Ｂが操作されたことを契機として、電子制御装置４２０が実行する制御プログラムの一例を示す。なお、トラックの運転者などは、蓄冷を開始するに先立って、必要に応じて、ナビゲーションシステム４６０を操作して走行ルートを登録するものとする。
【００１８】
ステップ１（図では「Ｓ１」と略記する。以下同様。）では、電子制御装置４２０が、ナビゲーションシステム４６０と通信し、運転者などによって走行ルートが登録されているか否かを判定する。そして、電子制御装置４２０は、走行ルートが登録されていると判定すれば、処理をステップ２へと進める（Ｙｅｓ）。一方、電子制御装置４２０は、走行ルートが登録されていないと判定すれば、処理をステップ１１へと進める（Ｎｏ）。
【００１９】
ステップ２では、電子制御装置４２０が、操作ボックス４４０から各種スイッチの操作状態を読み込み、蓄冷モードが通常モードであるか急速モードであるかを判定する。ここで、通常モードとは、車両情報及び走行ルート情報に応じて自動的にコンプレッサ２４０の作動及び停止を制御し、蓄冷式クーラの使用直前、即ち、目的地に到着する直前に蓄冷剤３８０を凍結させるモードである。また、急速モードとは、コンプレッサ２４０を強制的に作動させ、最短時間で蓄冷剤３８０を凍結させるモードである。そして、電子制御装置４２０は、蓄冷モードが通常モードであると判定すれば、処理をステップ３へと進める。一方、電子制御装置４２０は、蓄冷モードが急速モードであると判定すれば、処理をステップ１１へと進める。
【００２０】
ステップ３では、電子制御装置４２０が、運転者などに対して放冷開始時間、即ち、蓄冷式クーラの使用を開始する時間を設定させる。なお、放冷開始時間の設定は、例えば、操作ボックス４４０又はナビゲーションシステム４６０で行うことができる。
【００２１】
ステップ４では、電子制御装置４２０が、蓄冷式クーラを使用する直前に蓄冷剤３８０が凍結するように、冷凍サイクルのコンプレッサ２４０を作動させる区間を設定する、後述するサブルーチンを実行する。なお、このサブルーチンを実行することで、トラックの走行ルートにおいて、コンプレッサ２４０を作動させる区間が設定される。
【００２２】
ステップ５では、電子制御装置４２０が、操作ボックス４４０のディスプレイ４４０Ａに、蓄冷が完了するまでの残り時間、蓄冷が完了する時間を夫々表示させる。ここでは、電子制御装置４２０は、現在時刻及び放冷開始時間に基づいて、これらの時間を算出することができる。また、蓄冷が完了するまでの残り時間は、これを表示する時点において順次更新される。そして、蓄冷剤３８０が凍結するまでの残り時間及びその蓄冷完了時間が運転者に提示されるため、運転者は蓄冷剤３８０が凍結するまでの時間を把握することができる。
【００２３】
ステップ６では、電子制御装置４２０が、ナビゲーションシステム４６０の測位機能を利用して、トラックの現在位置を測位する。
ステップ７では、電子制御装置４２０が、ステップ４で設定した各区間を参照し、現在位置がコンプレッサ２４０を作動させる区間（作動区間）であるか否かを判定する。そして、電子制御装置４２０は、現在位置が作動区間であると判定すれば、処理をステップ８へと進める（Ｙｅｓ）。一方、電子制御装置４２０は、現在位置が作動区間でないと判定すれば、処理をステップ９へと進める（Ｎｏ）。
【００２４】
ステップ８では、電子制御装置４２０が、コンプレッサ２４０の電磁クラッチを接続することで、コンプレッサ２４０を作動させる。
ステップ９では、電子制御装置４２０が、コンプレッサ２４０の電磁クラッチを切断することで、コンプレッサ２４０を停止させる。
【００２５】
ステップ１０では、電子制御装置４２０が、現在位置が目的地であるか否かを介して、トラックが目的地に到着したか否かを判定する。そして、電子制御装置４２０は、目的地に到着したと判定すれば、処理を終了させる（Ｙｅｓ）。一方、電子制御装置４２０は、目的地に到着していないと判定すれば、処理をステップ５へと戻す（Ｎｏ）。
【００２６】
ステップ１１では、電子制御装置４２０が、温度センサ４００の出力信号を読み込むことで、蓄冷剤温度を測定する。
ステップ１２では、電子制御装置４２０が、冷凍サイクルの能力及び蓄冷剤温度に基づいて、蓄冷剤３８０が凍結する蓄冷完了時間を算出する。なお、電子制御装置４２０は、蓄冷剤３８０の凍結時間に影響がある外気温度を考慮して、蓄冷剤３８０が凍結する蓄冷完了時間を算出することもできる。
【００２７】
ステップ１３では、電子制御装置４２０が、コンプレッサ２４０の電磁クラッチを接続することで、コンプレッサ２４０を作動させる。
ステップ１４では、電子制御装置４２０が、操作ボックス４４０のディスプレイ４４０Ａに、蓄冷が完了するまでの残り時間、蓄冷が完了する時間を夫々表示させる。ここでは、電子制御装置４２０は、現在時刻及び蓄冷完了時間に基づいて、蓄冷が完了するまでの残り時間を算出することができる。また、蓄冷が完了するまでの残り時間は、これを表示する時点において順次更新される。
【００２８】
ステップ１５では、電子制御装置４２０が、ナビゲーションシステム４６０と通信し、運転者などによって走行ルートが登録されているか否かを判定する。そして、電子制御装置４２０は、走行ルートが登録されていると判定すれば、処理をステップ１６へと進める（Ｙｅｓ）。一方、電子制御装置４２０は、走行ルートが登録されていないと判定すれば、処理をステップ１９へと進める（Ｎｏ）。なお、走行ルートが登録されているか否かは、ステップ１の判定結果を一時的に記憶しておき、これを参照して判定するようにしてもよい。
【００２９】
ステップ１６では、電子制御装置４２０が、ナビゲーションシステム４６０の測位機能を利用して現在位置を測位し、この現在位置が目的地であるか否かを介して、トラックが目的地に到着したか否かを判定する。そして、電子制御装置４２０は、目的地に到着していないと判定すれば、処理をステップ１７へと進める（Ｙｅｓ）。一方、電子制御装置４２０は、目的地に到着したと判定すれば、処理をステップ１８へと進める（Ｎｏ）。
【００３０】
ステップ１７では、電子制御装置４２０が、温度センサ４００の出力信号を読み込み、蓄冷剤温度が凍結温度であるか否かを介して、蓄冷が完了したか否かを判定する。そして、電子制御装置４２０は、蓄冷が完了したと判定すれば、処理をステップ１８へと進める（Ｙｅｓ）。一方、電子制御装置４２０は、蓄冷が完了していないと判定すれば、処理をステップ１４へと戻す（Ｎｏ）。
【００３１】
ステップ１８では、電子制御装置４２０が、コンプレッサ２４０の電磁クラッチを切断することで、コンプレッサ２４０を停止させた後、処理を終了させる。
【００３２】
ステップ１９では、電子制御装置４２０が、例えば、マイクロコンピュータの時計機能を利用し、ステップ１２で算出した蓄冷完了時間になったか否かを判定する。そして、電子制御装置４２０は、蓄冷完了時間になったと判定すれば、処理をステップ１８へと進める（Ｙｅｓ）。一方、電子制御装置４２０は、蓄冷完了時間になっていないと判定すれば、処理をステップ１４へと戻す（Ｎｏ）。
【００３３】
図５は、冷凍サイクルのコンプレッサ２４０を作動させる区間を設定するサブルーチンの一例を示す。
ステップ２１では、電子制御装置４２０が、ナビゲーションシステム４６０と通信し、走行ルートに関する情報（距離、道路高低差、一般道／高速道）を取得する。
【００３４】
ステップ２２では、電子制御装置４２０が、走行ルートに関する情報に基づいて、道路区間を解析する。具体的には、電子制御装置４２０は、出発地から目的地までの走行ルートについて、下り坂、平地、上り坂となる区間で複数に区画すると共に、各区間の距離を算出する。また、電子制御装置４２０は、目的地から出発地に向けて、下り坂、平地、上り坂の順番で各区間をソートして優先度を付し、このソート結果を、例えば、ＲＡＭ（Random Access Memory）などの揮発性メモリに格納する。即ち、走行ルートが、図６に示すように、出発地から目的地に向けて、平地１、上り坂１、下り坂１、平地２、下り坂２となっている場合、電子制御装置４２０は、下り坂２、下り坂１、平地２、平地１、上り坂１の順番に優先度を付す。
【００３５】
ステップ２３では、電子制御装置４２０が、不揮発性メモリに格納されたテーブル、例えば、図７に示すような車速とエンジン回転数とを関連付けたテーブルを参照し、各区間について、距離及び一般道／高速道に基づいてコンプレッサ２４０の回転数を算出する。ここで、各区間におけるコンプレッサ２４０の回転数が、各区間におけるコンプレッサの作動量の一例として挙げられる。
【００３６】
即ち、エンジン３２０のプーリ３２０Ａとコンプレッサ２４０のプーリ２４０Ａとの比が１：２（プーリ比２）であり、ある区間が高速道の下り坂でその距離が１０００ｍであると仮定する。この場合、この区間をトラックの制限速度である時速８０ｋｍ／ｈで走行すると、この区間の走行に要する時間は４５秒となる。図７に示すテーブルを参照すると、時速８０ｋｍ／ｈで走行するときのエンジン回転数は１６００ｒｐｍであるので、この区間ではエンジン３２０の回転数は１２００回転（１６００×４５／６０）となる。また、プーリ比が２であるため、この区間を走行することによってコンプレッサ２４０は、１２００回転×２（プーリ比）＝２４００回転だけ回転する。このようにして、各区間におけるコンプレッサ２４０の回転数を算出する。
【００３７】
なお、車両及び運転者によって、同一道路を走行するときのエンジン回転数及び変速状態が異なるため、図７に示すテーブルのエンジン回転数は、例えば、実際の車両走行に基づく学習によって順次更新することもできる。このようにすれば、車両及び運転者の特性に応じた、車速とエンジン回転数との相関関係を求めることができる。要するに、各区間におけるコンプレッサ２４０の回転数は、エンジン回転数と密接に関連しているため、これを車両走行によって学習することで、制御精度を向上させることができる。
【００３８】
ステップ２４では、電子制御装置４２０が、温度センサ４００の出力信号を読み込むことで、蓄冷剤温度を測定する。
ステップ２５では、電子制御装置４２０が、蓄冷剤温度及び蓄冷剤３８０の熱容量に基づいて、蓄冷剤３８０を凍結させるのに要するコンプレッサ２４０の総回転数を算出する。ここで、コンプレッサ２４０の総回転数が、蓄冷剤が凍結するのに要するコンプレッサの目標作動量の一例として挙げられる。
【００３９】
ステップ２６では、電子制御装置４２０が、次のような手順を経て、コンプレッサ２４０を作動させる区間を決定する。即ち、電子制御装置４２０は、揮発性メモリに格納されているソート結果である各区間の情報を参照し、目的地から近い順番に各区間のコンプレッサ回転数を順次加算し、これが総回転数以上となるまでに加算したものを、コンプレッサ２４０を作動させる区間として決定する。要するに、電子制御装置４２０は、目的地から出発地に向けて、エンジン負荷が最も小さい下り坂を優先して作動区間とし、これで不足する場合には、その次にエンジン負荷が小さい平地を作動区間とする。また、電子制御装置４２０は、すべての平地を作動区間としても不足する場合には、エンジン負荷が最も大きい上り坂を作動区間として、蓄冷剤３８０を凍結させる。このように作動区間を決定することで、エンジン３２０の燃料消費を抑制しつつ、蓄冷式クーラの使用直前に蓄冷剤３８０を凍結させることができる。その後、電子制御装置４２０は、サブルーチンにおける処理を終了し、処理をメインルーチンへと戻す。
【００４０】
要するに、電子制御装置４２０は、走行ルートを下り坂、平地、上り坂に区画した各区間について、目的地から出発地に向けて、下り坂、平地、上り坂の順番で優先度を付し、この優先度に従ってコンプレッサ２４０を作動させる。より具体的には、電子制御装置４２０は、蓄冷剤温度に基づいて蓄冷剤３８０が凍結するのに要するコンプレッサ２４０の総回転数を求め、この総回転数と優先度順に順次選定した各区間におけるコンプレッサ２４０の回転数とに基づいて、コンプレッサ２４０を作動させる。
【００４１】
かかる蓄冷式クーラによれば、ナビゲーションシステム４６０に走行ルートが登録されていない場合、又は、蓄冷モードが急速モードである場合、冷凍サイクルのコンプレッサ２４０が強制的に作動して、蓄冷剤３８０が最短時間で凍結される。また、蓄冷剤３８０が凍結するまでの過程において、蓄冷剤３８０が凍結するまでの残り時間及びその蓄冷完了時間が運転者に提示されるため、運転者は蓄冷剤３８０が凍結するまでの時間を把握することができる。さらに、コンプレッサ２４０は、蓄冷剤３８０の蓄冷完了時間前であっても、目的地に到着したとき、又は、蓄冷が完了したときに停止するため、無駄なコンプレッサ２４０の作動が回避され、エンジン３２０の燃料消費の増加を抑制することができる。
【００４２】
一方、ナビゲーションシステム４６０に走行ルートが登録され、かつ、蓄冷モードが通常モードである場合、車両情報（車速とエンジン回転数の相関関係、即ち、車速とコンプレッサ作動特性との相関関係）及び走行ルートに関する情報に応じて、燃料消費を抑制しつつ、目的地に到着する直前に蓄冷剤３８０が凍結する、コンプレッサ２４０の作動区間が決定される。そして、トラックがこの区間を走行するとき、冷凍サイクルのコンプレッサ２４０が作動して、蓄冷ユニット２００に内蔵された蓄冷剤３８０が冷却され、目的地に到着する直前、即ち、蓄冷式クーラの使用直前に蓄冷剤３８０が凍結する。
【００４３】
従って、トラックの運転者などが事前に設定した放冷開始時間となったときには、蓄冷式クーラの蓄冷剤３８０の凍結が完了しているので、蓄冷式クーラの作動時間を長くすることができ、快適な仮眠を行うことができる。また、蓄冷式クーラの使用直前に蓄冷剤３８０が凍結するので、例えば、外気によって蓄冷剤３８０が解凍することが抑制され、コンプレッサ２４０を作動させるための燃料消費を低減することができる。さらに、コンプレッサ２４０の作動時間が短縮することから、コンプレッサ２４０の寿命を延長することもできる。その他、冷凍サイクルのコンプレッサ２４０は、空調装置のコンプレッサ３６０とは異なるため、空調性能に与える影響を抑制することもできる。
【００４４】
ところで、蓄冷式クーラの冷凍サイクルの構成部品、エンジン３２０のプーリ３２０Ａなどは、トラックの車種などに応じて変化する。このため、トラックの車種などに応じて、走行ルートを複数に区画した各区間におけるコンプレッサ２４０の回転数、蓄冷剤３８０を凍結させるためのコンプレッサ２４０の総回転数が異なる。この相違点については、トラックの車種などに応じて制御定数を個別に設定すれば足りるが、トラックの種別などに適合した複数の電子制御装置４２０を準備しなければならず、例えば、電子制御装置４２０の管理工数が増加してしまうおそれがある。
【００４５】
そこで、電子制御装置４２０の不揮発性メモリに、トラックの車種などに応じた複数の制御定数を格納しておき、次のような処理によって、その中から適切な制御定数を選定するようにしてもよい。即ち、トラックにおいては、例えば、車種に応じて駆動輪のサイズ、搭載重量などが変化する。このため、電子制御装置４２０は、エンジン回転数、車速及び燃料噴射量の相関関係に応じて車種を特定し、この車種に応じた制御定数を選定する。
【００４６】
上記蓄冷式クーラでは、蓄冷剤３８０が凍結するのに要するコンプレッサ回転数を用いたが、コンプレッサ２４０における冷媒の吐出量を用いることもできる。この場合、コンプレッサ２４０の冷媒吐出量が、目標作動量及び作動量の一例として挙げられる。また、すべての制御は、電子制御装置４２０で行っているが、その一部の機能を実装する演算ユニットを蓄冷ユニット２００に備えてもよい。
【符号の説明】
【００４７】
２４０  コンプレッサ
２６０  コンデンサ
２８０  膨張弁
３００  エバポレータ
３８０  蓄冷剤
４２０  電子制御装置
【図１】
0006713763.tif 000002
【図２】
0006713763.tif 000003
【図３】
0006713763.tif 000004
【図４】
0006713763.tif 000005
【図５】
0006713763.tif 000006
【図６】
0006713763.tif 000007
【図７】
0006713763.tif 000008